(57)【特許請求の範囲】
【請求項１】
データを記録する方向がディスクの内周から外周へスパイラル状に向かう第一の記録方向に規定された第一の記録層と、
データを記録する方向がディスクの外周から内周へスパイラル状に向かう第二の記録方向に規定された第二の記録層と、
前記第一の記録方向に沿って記録された第一のトラックガイド及び前記第二の記録方向に沿って記録された第二のトラックガイドとを有するトラックガイド層と、
を備え、
前記トラックガイド層は、単一トラックガイド層からなり、
前記第一のトラックガイドと前記第二のトラックガイドは前記単一トラックガイド層に記録されている
ことを特徴とするデータ記録媒体。
【請求項２】
前記第一の記録層及び前記第二の記録層の記録密度は、
各々の内周及び外周で概同じである
ことを特徴とする請求項１に記載のデータ記録媒体。
【請求項３】
データを記録する方向がディスクの内周から外周へスパイラル状に向かう第一の記録方向に規定された第一の記録層と、データを記録する方向がディスクの外周から内周へスパイラル状に向かう第二の記録方向に規定された第二の記録層と、前記第一の記録方向に沿って記録された第一のトラックガイド及び前記第二の記録方向に沿って記録された第二のトラックガイドとを有する単一トラックガイド層とを備えたデータ記録媒体に対して、データの記録再生を行うるデータ記録再生装置において、
前記第一のトラックガイド及び前記第二のトラックガイドにおけるトラック制御の動作として、交互に動作非動作を切り替えるトラック制御機構
を有することを特徴とするデータ記録再生装置。
【請求項４】
前記トラック制御機構は、
動作非動作切り替え周期が概１０ｋＨｚ程度である
ことを特徴とする請求項３に記載のデータ記録再生装置。
【発明の詳細な説明】
【０００１】
【発明の属する技術分野】
本発明はデータ記録媒体及びデータ記録再生装置、更に詳しくはスパイラル状に形成されたトラックによる多層記録層でのトラック制御部分に特徴のあるデータ記録媒体及びデータ記録再生装置に関する。
【０００２】
【従来の技術】
近年、光ディスクなどのメモリーは大容量化が要求されている。これに対して、ディスク上に複数の記録層を設け、これを光学式ピックアップのフォーカスをコントロールすることで、各層を選択的に再生、又は記録再生する装置が考案されている。
【０００３】
例えば、特開平８−２１２５６１公報にこのような多層記録ディスク、及びその記録再生装置が開示されている。
【０００４】
しかし、上述の文献に記載されている多層記録ディスクについての開示は、トラッキング手段について、十分に考慮されたものではない。
【０００５】
記録層が多数ある場合、その全ての層に固定情報であるトラックガイドを設ける必要があり、製造コストが大きくなってしまう。
【０００６】
また、単層記録の場合、トラッキング手段として、記録層の反射光の強弱を読みとって追従させるが、多層ディスクでは、記録層の透過率を高くしなくてはならないことから、反射光が弱くなり、トラッキングに十分な光量が得られないという問題もある。
【０００７】
このような課題を解決するために、トラックガイド層を設けることが提案されている。例えば、第２８３５０７４号特許公報にトラックガイド層を有する多層記録ディスクについて開示されている。
【０００８】
【発明が解決しようとする課題】
しかしながら、上記従来技術文献に記載されている多層記録ディスクについての開示では、スパイラル記録に対する考慮がない。
【０００９】
トラックガイド層を設けた場合、記録層にはそのトラックガイド層に記録されたトラックガイドに沿って情報トラックが形成される。
【００１０】
ここで情報トラックを内周から外周方向へスパイラル記録することを考えると、情報トラックの終端である最外周まで来たときに、次の層へ記録しようとするが、トラックガイド層に記録されているトラックガイドはスパイラルなので、最内周にジャンプするかディスクを逆回転せざるを得ない。特に音声や画像データのように連続性が要求される場合はディスクを逆回転させる時間が大きな問題になる。また、ＣＬＶ記録のように内周と外周でディスクの回転速度が違う場合は、最外周から最内周へのジャンプすることでディスクの回転を安定させねばならず、それにかかる時間は致命的となる。
【００１１】
即ち、トラックガイド層に記録されたトラックガイドのスパイラルが一方向のみであると、記録層を移動することが難しく、高速で連続なアクセスは不可能になる。
【００１２】
本発明は、上記事情に鑑みてなされたものであり、記録層の反射率が低く、記録層自身でサーボがかけられないような場合でも、サーボに十分な光量を得ながら、更に複数の記録層間の移動を高速にできるデータ記録媒体及びデータ記録再生装置を提供することを目的としている。
【００１３】
【課題を解決するための手段】
本発明のデータ記録媒体は、データを記録する方向がディスクの内周から外周へスパイラル状に向かう第一の記録方向に規定された第一の記録層と、データを記録する方向がディスクの外周から内周へスパイラル状に向かう第二の記録方向に規定された第二の記録層と、前記第一の記録方向に沿って記録された第一のトラックガイド及び前記第二の記録方向に沿って記録された第二のトラックガイドとを有するトラックガイド層と、を備え、前記トラックガイド層は、単一トラックガイド層からなり、前記第一のトラックガイドと前記第二のトラックガイドは前記単一トラックガイド層に記録されていることを特徴とする。
【００１４】
本発明のデータ記録再生装置は、データを記録する方向がディスクの内周から外周へスパイラル状に向かう第一の記録方向に規定された第一の記録層と、データを記録する方向がディスクの外周から内周へスパイラル状に向かう第二の記録方向に規定された第二の記録層と、前記第一の記録方向に沿って記録された第一のトラックガイド及び前記第二の記録方向に沿って記録された第二のトラックガイドとを有する単一トラックガイド層とを備えたデータ記録媒体に対して、データの記録再生を行うるデータ記録再生装置において、前記第一のトラックガイド及び前記第二のトラックガイドにおけるトラック制御の動作として、交互に動作非動作を切り替えるトラック制御機構を有して構成される。
【００１５】
【発明の実施の形態】
以下、図面を参照しながら本発明の実施の形態について述べる。
【００１６】
（第１の実施の形態）
図１及び図２は本発明の第１の実施の形態に係わり、図１は多層記録ディスクの断面及び記録再生装置の構成を示す図、図２は図１の第１のトラックガイド層の第１のグルーブ及び第２のトラックガイド層の第２のグルーブを説明する説明図である。
【００１７】
図１に示すように、本実施の形態の多層記録ディスク１０は、トラックガイドに相当する第１のグルーブ１１を有し反射面となる第１のトラックガイド層１２と、第２のグループ１３を有し第１のトラックガイド層１２よりも透過率が高い第２のトラックガイド層１４と、前記第２のトラックガイド層１４の下方に設けられたフォトポリマ、フォトリフラクティブ結晶、フォトクロミック材料等の媒質１５と、第１のトラックガイド層１２の両面上、及び媒質１５の下面に設けられた保護層１６とを有しており、媒質１５中の異なる深さ位置に、それぞれ屈折率や光吸収率を変化させて情報が記録された複数の記録層１７〜２２が形成されている。記録層の数はここでは６層としたが、特に何層であっても構わない。
【００１８】
図２には、多層記録ディスク１０を図１の上方側から見たときの情報の記録方向を示す。第１のトラックガイド層１２の第１のグルーブ１１は、記録方向５０に示すような渦巻き状に内周から外周へ向かう順スパイラル方向に記録されており（図２（ａ））、第２のトラックガイド層１４の第２のグルーブ１３は、記録方向５１に示すような渦巻き状に外周から内周へ向かう逆スパイラル方向に記録されている（図２（ｂ））。記録層１７〜２２に記録される情報トラックの方向は、上記第１のグルーブ１１、第２のグルーブ１３の方向と交互に一致し、奇数番号の記録層には記録方向５０に示すような順スパイラル方向に、始端５２から終端５３へ向かうように情報トラックが記録され、偶数番号の記録層には記録方向５１に示すような逆スパイラル方向に、始端５４から終端５５へ向かう方向に情報トラックが記録される。
【００１９】
先に第２のトラックガイド層１４の反射率は第１のトラックガイド層１２の反射率より低いと述べたが、例えば反射率３８％程度にする。
【００２０】
理想状態を想定して、記録層１７〜２２の透過率を１００％、第１のトラックガイド層１２の反射率を１００％、第２のトラックガイド層１４の吸収率を０％とすると、第２のトラックガイド層１４を透過して第１のトラックガイド層１２に到達するサーボ用レーザ光は
１００−２８＝６２％
となり、さらに第１のトラックガイド層１２の反射光が第２のトラックガイド層１４を透過するのは、
０．６２×０．６２＝０．３８
で３８％となって、第２のトラックガイド層１４の反射光と概ね等しくなり、対称性が得られる。
【００２１】
また３８％程度の反射率であれば、サーボは安定してかけられる。
【００２２】
図１に戻り、この実施の形態の多層記録ディスク１０の各記録層に対して、情報を記録再生する方法としては、その媒質１５側から記録再生用レーザ光３０と、フォーカス制御及びトラッキング制御を行うためのサーボ用レーザ光４０とを照射して、所望の記録層に記録再生を行う。なお、記録再生用レーザ光３０の波長は、サーボ用レーザ光４０の波長よりも短くする。
【００２３】
記録再生用レーザ光３０は、半導体レーザ３１から出射し、コリメータレンズ３２で平行光に変換して偏光ビームスプリッタ３３にＰ偏光で入射させ、該偏光ビームスプリッタ３３を透過するレーザ光を１／４波長板３４を経てダイクロイックプリズム３５に入射させて該ダイクロイックプリズム３５で反射させ、このダイクロイックプリズム３５で反射されたレーザ光を対物レンズ３６により多層記録ディスク１０の所望の記録層の情報トラック上に集光させる。対物レンズ３６は、図示しない２軸アクチュエータにより多層記録ディスク１０に対してフォーカス方向、及びトラッキング方向に駆動方向に構成する。
【００２４】
また、多層記録ディスク１０で反射される記録再生用レーザ光３０は、往路とは逆の経路をたどって、対物レンズ３６、ダイクロイックプリズム３５及び１／４波長板３４を経て偏光ビームスプリッタ３３に入射させる。ここで、偏光ビームスプリッタ３３に入射する多層記録ディスク１０からの反射光は、往路と復路で１／４波長板３４を透過するので、Ｓ偏光となり、偏光ビームスプリッタ３３で反射される。この偏光ビームスプリッタ３３で反射されるレーザ光は、検出レンズ３７で集光し、その集光点においてフォトダイオード３８で受光し、その出力に基づいて多層記録ディスク１０の所望の記録層を記録再生する。
【００２５】
一方、サーボ用レーザ光４０は、光源ユニット４１から出射させる。この光源ユニット４１には、半導体レーザ４２、光検出器４３及びホログラム４４を設け、半導体レーザ４２からホログラム４４を経て、記録再生用レーザ光３０とは異なる波長のサーボ用レーザ光４０を出射させる。この光源ユニット４１からのサーボ用レーザ光４０は、コリメータレンズ４５で平行光に変換された後、ダイクロイックプリズム３５を透過させて対物レンズ３６により多層記録ディスク１０の第１のトラックガイド層１２または第２のトラックガイド層１４上に集光させる。コリメータレンズ４５は、図示しない１軸アクチュエータによりフォーカス方向に駆動可能に構成する。
【００２６】
また、多層記録ディスク１０で反射されるサーボ用レーザ光４０は、往路とは逆の経路をたどって、対物レンズ３６、ダイクロイックプリズム３５及びコリメータレンズ４５を経て光源ユニット４１のホログラム４４に入射させて回折させ、公知のビームサイズ法やフーコー法によってフォーカスエラー信号を検出し、プッシュプル法によりトラッキングエラー信号を検出する。
【００２７】
上記実施の形態において、例えば図１の記録層１７に記録されている情報を読み出す場合、対物レンズ３６及びコリメータレンズ４５は、記録再生用レーザ光が記録層１７に集光するようにフォーカス方向に駆動し、さらに対物レンズ３６は上記フォーカスエラー信号及びトラッキングエラー信号に基づいてフォーカス方向及びトラッキング方向に駆動して、記録再生用レーザ光３０が記録層１７に集光し、かつサーボ用レーザ光４０が第１のトラックガイド層１２の第１のグルーブ１１上に集光して所望の情報トラックを追従するように制御する。また、記録層１８に記録されている情報を読み出す場合は同様に、第２のトラックガイド層１４の第２のグルーブ１３にトラッキングして所望の情報トラックを追従する。
【００２８】
記録層１７から記録層１８へ読み出す層を移動する場合は、記録方向が逆のため、トラック方向を順スパイラル方向（内周→外周）から逆スパイラル方向（外周→内周）の向きに切り替える必要がある。
【００２９】
そのために先ず、第１のトラックガイド層１２に集光しているサーボ用レーザ光のスポットを第２のトラックガイド層１４に移動させる。移動の手順としては、コリメータレンズ４５をロックし、第１のグルーブ１１にかかっているサーボを外し、対物レンズ３６をフォーカス方向に動かして、サーボ用レーザ光を第２のトラックガイド層１４に集光させ、第２のグルーブ１３にトラッキングする。
【００３０】
その後に記録層を移動するために、対物レンズ３６とコリメータレンズ４５を連動させて記録再生用レーザ光を記録層１８に集光させる。連動の動作としては、例えば記録再生用レーザ光のフォーカスを図の下方に動かしたいときには、コリメータレンズ４５を下に動かすと、対物レンズ３６が第２のトラックガイド層１４に焦点を合わせるように下方に駆動され、対物レンズ３６が下方に動くと、記録再生用レーザ光のフォーカスも下方に動く。
【００３１】
本実施の形態のように構成することで、スパイラル方向の記録方向を持つ多層記録ディスクにおいて、記録層では反射率が低くサーボがかけられないような場合においても、確実にサーボをかけることができ、なおかつ層間の移動を高速に行うことができる。
【００３２】
本実施の形態は多層のＣＬＶ記録にも適用することができる。ＣＬＶ記録では情報の線密度が内周と外周で概ね同じであり、そのために内周と外周でディスクの回転速度を変化させる必要がある。複数の記録層間を移動する際に記録再生装置を外周から内周へ移動させると、記録再生装置の移動時間だけでなくディスクの回転速度を変化させ安定させる時間もかかってしまう。本実施の形態においては、記録層の移動が内周、又は外周のどちらかで行われるため、上記記録再生装置の移動時間、及びディスクの回転速度を変化させ安定させる時間を節約することができる。
【００３３】
なお、本実施の形態では第１のトラックガイド層１２及び第２のトラックガイド層１４の下層に複数の記録層を形成するとしたが、第１のトラックガイド層１２及び第２のトラックガイド層１４を中間層とし、この中間層の上層及び下層に偶数個の記録層を設け、上層あるいは下層に設けた偶数個の各々記録層間の記録方向を交互に異なるスパイラル状（図２参照：順スパイラル、逆スパイラル）にしてもよい。
【００３４】
（第２の実施の形態）
図３ないし図９は本発明の第２の実施の形態に係わり、図３は多層記録ディスクを説明する第１の説明図、図４は図３の多層記録ディスクを説明する第２の説明図、図５は図３の多層記録ディスクを説明する第３の説明図、図６は図４の多層記録ディスクのトラック制御を行う制御回路の構成を示す構成図、図７は図６の和信号及び差信号の波形を示す波形図、図８は図６の領域判別溝検出部及び判定部の構成を示す構成図、図９は図６の制御回路における多層記録ディスクのトラック制御の流れを示すフローチャートである。
【００３５】
第２の実施の形態は、第１の実施の形態とほとんど同じであるので、異なる点のみ説明し、同一の構成には同じ符号をつけ説明は省略する。
【００３６】
第１の実施の形態を実現しようとしたとき、サーボが複雑になる問題がある。トラックガイド層を移動する際に、一度サーボ用レーザ光のフォーカス制御を外して、再度別の層にフォーカス制御をかけ直す必要があるためであり、時間的にもロスが生じてしまう。
【００３７】
第２の実施の形態では、このような状況を鑑みて、順スパイラル方向と逆スパイラル方向のグルーブを、同一のトラックガイド層に設けた。
【００３８】
通常、順スパイラルと逆スパイラルを重ねると、図３に示すようにディスクを１周する間に２箇所互いに交わる交差場所ができる。トラックガイドがグルーブであると、この交差場所においてトラックエラー信号の干渉が起きてしまう。
【００３９】
これを回避するために本実施の形態では、図４（ａ）に示す順スパイラル方向のグルーブが記録された領域６０と、図４（ａ）に示す逆スパイラル方向のグルーブが記録された領域６１の２種類の領域に分けて、各々を交互に配する。
【００４０】
領域６０と６１の境界には、ディスクに対して放射状に領域判別溝６２、６３を設け、前記領域判別溝はグルーブよりも反射率が低くなるようにし、１本の溝からなる領域判別溝６２と２本の溝からなる領域判別溝６３を交互に配置し、領域判別溝６２を領域６０の判別用、領域判別溝６３を領域６１の判別用とする。
【００４１】
なお、サーボ用レーザ光のスポットが領域６０に存在する間はグルーブにトラッキングすることができるが、逆スパイラル方向のグルーブが記録されている領域６１に入るとトラックアクチュエータは固定されるため、トラッキングが外れやすくなる。特に領域６０と６１の分断の数が少なく、トラックアクチュエータが固定されている時間が長くなると、次の領域６０に入ったときに正しいトラックを引き込めなくなる。従って、領域６０と６１は細かく分断されることが要求される。
【００４２】
すなわち、図４では領域６０、６１とも４領域づつに分断してあるが、トラッキング制御の帯域を考慮すると、それぞれ１００領域づつ程度に分断すれば要求を満たすことができる。すなわち、トラッキングに必要な帯域は一般的に３〜４ｋＨｚと言われており、サンプリング定理を考慮すると６〜８ｋＨｚ必要になる。ディスクの回転速度を３６００ｒｐｍと想定すると、６０Ｈｚとなるので、ディスク１周あたりトラッキング制御に必要なトラックガイドの領域個数は、
６０００÷６０＝１００
となる。
【００４３】
図５には前記グルーブと前記領域判別溝の位置関係を表すために、ディスクの拡大図を示す。順スパイラル方向のグルーブ７０が記録されている領域６０と逆スパイラル方向のグルーブ７２が記録されている領域６１があり、ディスクを回転させたときにサーボ用レーザ光のスポット７６が領域６１から領域６０に切り替わる境界には１本の領域判別溝６２が、領域６０から領域６１に切り替わる境界には２本の領域判別溝６３が設けられ、サーボ用レーザ光のスポット７６は、ディスクから見るとグルーブに沿って移動するので、領域判別溝６２、及び領域判別溝６３を必ず横切る。
【００４４】
例えば、順スパイラル方向にトラッキングする動作を、図６のブロック図を用いて説明する。トラッキングはプッシュプル法を用い、ディスクで反射したサーボ用レーザ光を２分割ＰＤ８０で受け、減算器８１によりその差信号８７を演算・増幅し、トラック制御部８２でグルーブからのズレ量を演算し、サーボ用レーザ光のスポットがグルーブを追従するようにトラックアクチュエータ８３を駆動する。同時に２分割ＰＤ８０の和信号８８（図７参照）を加算器８４で演算・増幅し、領域判別溝検出部８５で領域判別溝を横切ったときに和信号８８が所定の領域検出閥値８９（図７参照）より低下することを検出し、判別部８６にて前記和信号の低下が１回であれば領域判別溝が１本検出されたと判断、直後にトラックを引き込むようトラック制御部８２に指示を出し、和信号の低下が２回であれば、領域判別溝を２本検出したと判断、サーボ用レーザ光のスポットがこれから逆スパイラル方向のグルーブが記録された領域に入るので、トラック制御部に指示を出してトラックアクチュエータ８３を固定せしめる。
【００４５】
領域判別溝検出部８５では、グルーブと領域判別溝の反射率の差を利用して領域判別溝を検出する。すなわち、図８に示すように、領域判別溝の反射率はグルーブよりも低いので、サーボ用レーザ光のスポットが領域判別溝に入射したときに２分割ＰＤの和信号が下がり、コンパレータ９１で領域検出閾値８９を下回ったことで検出し、下回った回数をカウンタ９２でカウントする。
【００４６】
判定部８６では、領域判別溝検出部８５の出力であるカウント数をトラック制御用のフラグとし、またＣＰＵ９５からのトラッキングの方向を示すフラグとのエクスクルーシブＯＲをＸＯＲ９６でとることによってトラック制御部８２を制御する。カウント数が１の場合には、領域判別溝が１本であり、これから領域６０に入ると判断し、トラック制御用のフラグに１を立ててトラック制御部がトラッキングを行うようにし、カウント数が２の場合には、領域判別溝が２本であり、これから領域６１に入ると判断してトラック制御用のフラグを０として、トラック制御部を固定状態にせしめる。
【００４７】
上記判定部８６の一連の動作フローを図９に示す。ＣＰＵ９５からのトラッキングの方向を示すフラグとしてＳＦ、現在サーボ用レーザ光が入射している領域を示すフラグとしてＴＦの２種類のフラグを持つように構成する。ステップＳ１でアクセスしたいデータのアドレスからトラッキングするべき方向を判断し、順スパイラル方向の場合はステップＳ２でＳＦ＝１、逆スパイラル方向の場合はステップＳ３でＳＦ＝０とセットする。そして、ステップＳ４で現在サーボ用レーザ光が入射している領域を、領域判別溝検出部８５の出力から判断し、順スパイラル方向のグルーブが記録されている領域６０にいると判断されればステップＳ５でＴＦ＝１、逆スパイラル方向のグルーブが記録されている領域６１にいると判断された場合はステップＳ６でＴＦ＝０をセットする。
【００４８】
ステップＳ７でＳＦがとＴＦとのエクスクルーシブＯＲをとり、エクスクルーシブＯＲが０の際は、ステップＳ８で、ＳＦが１でＴＦが１の場合は、順スパイラル方向にトラッキングする必要があり、なおかつ現在のサーボ用レーザ光の位置も順スパイラル方向のグルーブが記録されている領域なので、トラックアクチュエータを動作させるようにトラック制御部に命令を与える。同様にＳＦが０でＴＦが０の場合も、逆スパイラル方向にトラッキングを行う。
【００４９】
エクスクルーシブＯＲが１の際は、ステップＳ９で、ＳＦが１でＴＦが０、またはＳＦが０でＴＦが１の場合は、トラッキングするべき方向と現在いる領域に記録されているグルーブの方向が一致しないので、トラックアクチュエータを固定するようにトラック制御部に命令を与える。
【００５０】
すなわち、ＳＦとＴＦのエクスクルーシブＯＲをとって０であればトラックアクチュエータをＯＮにし、１の場合はトラックアクチュエータを固定させる。
【００５１】
上記に順スパイラル方向にトラッキングするときの動作を説明したが、逆スパイラル方向へトラッキングを切り替える場合は、図７の判別部８６で領域判別溝を２本検出した場合にトラックを引き込み、１本検出したときにはトラックアクチュエータを固定するように制御すればよい。
【００５２】
本実施例のように構成することで、第１の実施の形態による効果に加え、順スパイラル方向のグルーブと逆スパイラル方向のグルーブを同一のトラックガイド層に記録することで、記録面を移動しトラッキングの方向を切り替える際にサーボ用レーザ光のフォーカス制御を外す必要がなくなるため、制御を簡単に、かつ高速に行うことができる。さらにトラックガイド層を１つにすることで、製造コストも削減できる。
【００５３】
なお、第１の実施の形態と同様に、領域６０と６１を備えたトラックガイド層を中間層とし、この中間層の上層及び下層に偶数個の記録層を設け、上層あるいは下層に設けた偶数個の各々記録層間の記録方向を交互に異なるスパイラル状（図２参照：順スパイラル、逆スパイラル）にしてもよい。
【００５４】
【発明の効果】
以上説明したように本発明によれば、記録層の反射率が低く、記録層自身でサーボがかけられないような場合でも、サーボに十分な光量を得ながら、更に複数の記録層間の移動を高速に行うことができるという効果がある。
【図面の簡単な説明】
【図１】本発明の第１の実施の形態に係る多層記録ディスクの断面及び記録再生装置の構成を示す図
【図２】図１の第１のトラックガイド層の第１のグルーブ及び第２のトラックガイド層の第２のグルーブを説明する説明図
【図３】本発明の第２の実施の形態に係る多層記録ディスクを説明する第１の説明図
【図４】図３の多層記録ディスクを説明する第２の説明図
【図５】図３の多層記録ディスクを説明する第３の説明図
【図６】図４の多層記録ディスクのトラック制御を行う制御回路の構成を示す構成図
【図７】図６の和信号及び差信号の波形を示す波形図
【図８】図６の領域判別溝検出部及び判定部の構成を示す構成図
【図９】図６の制御回路における多層記録ディスクのトラック制御の流れを示すフローチャート
【符号の説明】
１０…多層記録ディスク
１１…第１のグルーブ
１２…第１のトラックガイド層
１３…第２のグループ
１４…第２のトラックガイド層
１５…媒質
１６…保護層
１７〜２２…記録層
３０…情報読み取り用レーザ光
３１…半導体レーザ
３２…コリメータレンズ
３３…偏光ビームスプリッタ
３４…１／４波長板
３５…ダイクロイックプリズム
３６…対物レンズ
３７…検出レンズ
３８…フォトダイオード
４０…サーボ用レーザ光
４１…光源ユニット
４２…半導体レーザ
４３…光検出器
４４…ホログラム
代理人    弁理士    伊藤  進
【図１】
0004245765.tif 000002
【図２】
0004245765.tif 000003
【図３】
0004245765.tif 000004
【図４】
0004245765.tif 000005
【図５】
0004245765.tif 000006
【図６】
0004245765.tif 000007
【図７】
0004245765.tif 000008
【図８】
0004245765.tif 000009
【図９】
0004245765.tif 000010